(57)【要約】筒部材と孔を有する部材、例えば排水栓本体（１２）と槽体に設けた通孔部（４）や、パイプ管（１７）と該パイプ管（１７）を内部に収納する通孔部（４）を備えたパイプ管（１１）の、接続構造を提供する。【解決手段】フランジ部（２）、雄ねじ部（３）を備えた筒部材（１）と、上記筒部材（１）を挿通する通孔部（４）、ナット部材（６）、水密部材（７）、若しくは管部材（１）と、雄ねじ部（３）、且つ内部に通孔部（４）を備え、管部材（１１）の円筒形状部を収納する筒部材（１）、ナット部材（６）、水密部材（７）から成る筒部材と孔を有する部材の接続構造において、ナット部材（６）に、水密部材（７）が当接する当接面部（８）を設けると共に、水密部材（７）に、当接面部（８）と当接する傾斜よりなる第一傾斜部（９）と、上記第一傾斜部（９）の反対方向に、施工時に通孔部（４）周縁と当接する第二傾斜部（１０）を設けた。【選択図】　　図２
2004092239.tif 000002
【特許請求の範囲】
【請求項１】
一方の端部に円周に沿って外側面方向に突出したフランジ部（２）を有し、且つ外周側面に雄ねじ部（３）を設けた筒部材（１）と、
筒部材（１）を挿通する通孔部（４）を有した部材と、
筒部材（１）の雄ねじ部（３）と螺合する雌ねじ部（５）を備えたナット部材（６）と、
該雌ねじ部（５）を雄ねじ部（３）に螺合させた際に、通孔部（４）とナット部材（６）の間に配置される、リング状の弾性材から成る水密部材（７）と、
から成る筒部材と通孔部を有する部材の接続構造において、
ナット部材（６）に、水密部材（７）が当接する方向ほど大径となるような傾斜部分を備えた当接面部（８）を設けると共に、
水密部材（７）に、当接面部（８）と当接する傾斜よりなる第一傾斜部（９）と、
上記第一傾斜部（９）の反対方向であって、施工時に通孔部（４）周縁と当接する、通孔部（４）の方向ほど小径となるような傾斜を備えた第二傾斜部（１０）と、を設けたことを特徴とする筒部材と通孔部を有する部材の接続構造。
【請求項２】
少なくともその端部が円筒形状を備えた管部材（１１）と、
外周側面に雄ねじ部（３）を設け、且つその内部に、上記管部材（１１）の円筒形状部を収納する通孔部（４）を設けた筒部材（１）と、
筒部材（１）の雄ねじ部（３）と螺合する雌ねじ部（５）を備えたナット部材（６）と、
該雌ねじ部（５）を雄ねじ部（３）に螺合させた際に、通孔部（４）とナット部材（６）の間に配置される、リング状の弾性材から成る水密部材（７）と、
から成る筒部材と通孔部を有する部材の接続構造において、
ナット部材（６）に、水密部材（７）が当接する方向ほど大径となるような傾斜部分を備えた当接面部（８）を設けると共に、
水密部材（７）に、当接面部（８）と当接する傾斜よりなる第一傾斜部（９）と、
上記第一傾斜部（９）の反対方向であって、施工時に通孔部（４）周縁と当接する、通孔部（４）の方向ほど小径となるような傾斜を備えた第二傾斜部（１０）と、を設けたことを特徴とする筒部材と通孔部を有する部材の接続構造。
【請求項３】
上記筒部材と通孔部を有する部材の接続構造において、
通孔部（４）を、槽体の底面に設け、
筒部材（１）を、上下に開口した円筒状であって、且つ上端側面の外周方向に突出した、通孔部（４）よりも大径なフランジ部（２）を有し、且つ外側面に雄ねじを設けた排水栓本体（１２）としたことを特徴とする請求項２に記載の筒部材と通孔部を有する部材の接続構造。
【請求項４】
上記筒部材と通孔部を有する部材の接続構造において、
上下に開口した筒状体であって、槽体から溢れた排水を排水栓本体（１２）内に流入させるオーバーフローアダプター（１３）を、槽体下面と水密部材（７）の間に配置したことを特徴とする、請求項１乃至請求項３のいずれか１つに記載の筒部材と通孔部を有する部材の接続構造。
【請求項５】
上記筒部材と通孔部を有する部材の接続構造において、
第一傾斜部（９）及び第二傾斜部（１０）を、その中間地点を通過する水平面に対して対称となるように傾斜を設けると共に、
上記水密部材（７）の内周面部であって、
内周面円周に沿って、第一傾斜部（９）及び第二傾斜部（１０）の中間地点を通過する水平面上に頂点を有する凸部（１４）を設けたことを特徴とする、請求項１乃至請求項４のいずれか１つに記載の筒部材と通孔部を有する部材の接続構造。
【発明の詳細な説明】
【０００１】
【発明の属する技術分野】
本発明は、筒部材と、筒部材をその内部に挿通した状態で取付固定する孔である通孔部を有する部材、例えば排水栓本体と通孔部を設けた槽体や、管部材と該管部材を内部に収納する通孔部を備えたパイプ管の、接続構造に関するものである。
【０００２】
【従来の技術】
従来より、筒部材と通孔部を有する部材、例えば排水栓本体と通孔部を設けた槽体、またはパイプ管と該パイプ管を内部に収納する通孔部を備えた管部材等の接続構造がよく知られている。
【０００３】
以下に、従来よく知られた、筒部材である排水栓本体と、通孔部を有する部材としての槽体である洗面ボウルに設けた通孔部との接続構造を、図面を参照しつつ説明する。
図１１乃至図１２に示した、排水栓本体と槽体の通孔部との接続構造は、洗面ボウル、排水栓本体、水密部材、ナット部材、及びその他の部材より構成されて成る。
洗面ボウルは、上部に開口を備えた箱状体であって箱体の上方側面にオーバーフロー口を設けると共に、内側底面に、該洗面ボウルに溜まった排水を排出する通孔部を備えている。
排水栓本体は、上下に開口した円筒状の部材であって、上端側面の外方向に、洗面ボウルの通孔部よりも大径なフランジ部を突出させて設けると共に、外側面に雄ねじ部を設け、上記洗面ボウルの通孔部に取り付けられる。また上記排水栓本体は、該フランジ部下方に、上記オーバーフロー口からの排水が流入する開口部を設けてなる。
水密部材は、断面視下端面が水平且つ内周面が鉛直となるような三角形形状をなしたリング状の部材であって、ゴム等の弾性材から成る。
ナット部材は、排水栓本体を洗面ボウルに取り付けるために用いられる部材で、略円筒状にして内周面に排水栓本体の雄ねじ部と螺合する雌ねじ部を設け、且つ上端に、外周方向に突出した、上記水密部材の底面と当接する当接面部を設けて成る。なお、ここで言う当接とは、面同士が直接接触する場合以外の他に、面と面との間に他の部材等が配置され、面同士の接触が間接的である場合も含む表現である。但しこの時には、それぞれの面が同じ状態で接触したものとする（例えば、「ＡとＢが部材Ｃを介して水密的に当接する」とは、「ＡとＢの間に部材Ｃが配置され、Ａと部材Ｃが直接接触すると同時に、Ｂと部材Ｃが直接接触し、かつそれぞれの当接が水密的である」ことを示す表現である）。
その他の部材として、水密部材とナット部材との間に、表面の摩擦係数が低い高分子材料から成る、薄膜のリング状とした滑りパッキンを用いて成る。
【０００４】
上記した各部材は、以下のように取り付けされる。
まず、洗面ボウルの底面に設けた通孔部に、上方から排水栓本体を挿通させ、該排水栓本体のフランジ部下面を通孔部周縁に当接させる。次に、水密部材と滑りパッキンを、上方から水密部材、滑りパッキンの順で、排水栓本体の下端から上方に向けて挿入させる。
更に、ナット部材の雌ねじ部を排水栓本体の雄ねじ部と螺合させ、該ナット部材の当接面部によって水密部材の底面を、滑りパッキンを介し、力が均一に分散するようにして持ち上げつつ締め込みを行い、水密部材を通孔部の下面とナット部材の間で強く押圧するようにすると、ねじの螺合による押圧の力の一部が、水密部材の通孔部の周縁と当接する傾斜部分の傾斜によって、水密部材の内周面の方向に向かう力に変換されて水密部材が縮径し、排水栓本体を強く当接することとなる。結果として、通孔部の下面とナット部材、更に排水栓本体の外周面がそれぞれ強く押圧されて水密的に固定され、筒部材である排水栓本体と、槽体に設けた通孔部との接続が完了する。
【０００５】
上記段落０００３及び段落０００４の従来例においては、洗面ボウルの内周側面に溜まった排水が、槽体外へあふれ出ることを防止するために、洗面ボウルの内面側壁にオーバーフロー口を設けてなる。該オーバーフロー口を通過した排水は、オーバーフロー口に連通したオーバーフロー流路を介して排水栓本体の開口に流れ込むため、洗面ボウルのオーバーフロー口よりも高い位置に排水が溜まることがなく、その為、洗面ボウルの開口から排水が溢れることがない。
この段落０００５に記載した従来例においては、オーバーフロー流路が、槽体と一体的に構成されて成るが、図１３に示した従来例のように、オーバーフローアダプター、及びそれらの間を連通するホース管によって、洗面ボウルとは別体のオーバーフロー流路を構成する場合もある。
オーバーフローアダプターは、図１３に示したように、排水栓本体と略同心円となるように配置される円筒状の側壁部と、該側壁部に設けられた流入口と、側壁部の上端から外周に突出して備えられた上壁部からなり、排水栓本体は、通孔部に、水密部材が上方をオーバーフローアダプター、下方をナット部材の当接面部によって挟持された状態で固定される。
【０００６】
次に、従来よく知られた、筒部材である管部材と通孔部を有する部材として該管部材を内部に収納する通孔部を備えたパイプ管との接続構造を、図面を参照しつつ説明する。
図１４乃至図１５に示した管部材とパイプ管との接続構造は、パイプ管、管部材、水密部材、ナット部材、及びその他の部材より構成されて成る。
パイプ管は円筒形状をした部材であって、以下に記載する管部材の内部に収納される。
管部材は、外周側面に雄ねじ部を設け、且つその内部に上記パイプ管の円筒形状部を収納する通孔部を設けた円筒形状の部材であり、通常はＵ字に屈曲した排水トラップの端部の接続箇所などに採用される。
水密部材は、断面視下端面が水平且つ内周面が鉛直となるような三角形形状をなしたリング状の部材であって、ゴム等の弾性材から成る。
ナット部材は、パイプ管を管部材に取り付けるために用いられる略円筒状にして内周面に管部材の雄ねじ部と螺合する雌ねじ部を設け、且つ一方の端部に、内周方向に突出した、上記水密部材の底面と当接する当接面部を設けて成る。
その他の部材として、水密部材とナット部材との間に、表面の摩擦係数が低い高分子材料から成る、薄膜のリング状とした滑りパッキンを用いて成る。
【０００７】
上記した従来のパイプ管の接続は、以下のようにして取り付けされる。
パイプ管の外周面に、管部材の通孔部に収納される側の端部から順に、水密部材、滑りパッキン、ナット部材の順に各部材を配置する。
次にパイプ管の端部を管部材に収納した後、該ナット部材の当接面部によって水密部材の底面を、滑りパッキンを介し、力が均一に分散するようにして管部材の雄ねじ部にナット部材の雌ねじ部を螺合させると、水密部材が内側に押し込まれて水密部材が縮径し、パイプ管と強く当接して、通孔部の開口周縁とナット部材、更にパイプ管の外周面が水密的に固定され、管体であるパイプ管と、孔である管部材の通孔部との接続が完了する。
【０００８】
【発明が解決しようとする課題】
上記のような筒部材と通孔部を有する部材の接続構造においては、以下のような問題があった。
筒部材に取り付ける水密部材は、該筒部材の外径よりも若干小さく成形されており、弾性によって拡径することで筒部材に挿通可能としている。そのため、水密部材を筒部材に取り付ける際は、水密部材が筒部材の外側面を締めつけながら移動することとなり、水密部材を所定の位置まで動かすことが非常に困難であった。
この水密部材を筒部材に取り付け易くするために、水密部材の内径を筒部材の外側面より拡径した形状に成形することが考えられたが、この方法によれば水密部材の内径と筒部材の外径との間に隙間ができ、多少取り付けが容易に成ったものの、筒部材と水密部材との密着が従来のものよりも弱くなり、両者の間から水漏れが生じてしまう場合があった。
【０００９】
本発明は、上記問題点に鑑み発明されたもので、筒部材と通孔部を有する部材、例えば排水栓本体と通孔部を設けた槽体や、管部材と該管部材を内部に収納する通孔部を備えたパイプ管等において、水密性を保ちつつ、筒部材と水密部材を取り付け易くし、総じて施工性が向上した、筒部材と通孔部を有する部材の接続構造を提供するものである。
【００１０】
【課題を解決するための手段】
請求項１に記載の筒部材と通孔部を有する部材の接続構造は、一方の端部に円周に沿って外側面方向に突出したフランジ部（２）を有し、且つ外周側面に雄ねじ部（３）を設けた筒部材（１）と、
筒部材（１）を挿通する通孔部（４）を有した部材と、筒部材（１）の雄ねじ部（３）と螺合する雌ねじ部（５）を備えたナット部材（６）と、該雌ねじ部（５）を雄ねじ部（３）に螺合させた際に、通孔部（４）とナット部材（６）の間に配置される、リング状の弾性材から成る水密部材（７）と、から成る筒部材と通孔部を有する部材の接続構造において、ナット部材（６）に、水密部材（７）が当接する方向ほど大径となるような傾斜部分を備えた当接面部（８）を設けると共に、水密部材（７）に、当接面部（８）と当接する傾斜よりなる第一傾斜部（９）と、上記第一傾斜部（９）の反対方向であって、施工時に通孔部（４）周縁と当接する、通孔部（４）の方向ほど小径となるような傾斜を備えた第二傾斜部（１０）と、を設けたことを特徴とする筒部材と通孔部を有する部材の接続構造である。
【００１１】
請求項２に記載の筒部材と通孔部を有する部材の接続構造は、少なくともその端部が円筒形状を備えた管部材（１１）と、外周側面に雄ねじ部（３）を設け、且つその内部に、上記管部材（１１）の円筒形状部を収納する通孔部（４）を設けた筒部材（１）と、筒部材（１）の雄ねじ部（３）と螺合する雌ねじ部（５）を備えたナット部材（６）と、該雌ねじ部（５）を雄ねじ部（３）に螺合させた際に、通孔部（４）とナット部材（６）の間に配置される、リング状の弾性材から成る水密部材（７）と、から成る筒部材と通孔部を有する部材の接続構造において、ナット部材（６）に、水密部材（７）が当接する方向ほど大径となるような傾斜部分を備えた当接面部（８）を設けると共に、水密部材（７）に、当接面部（８）と当接する傾斜よりなる第一傾斜部（９）と、上記第一傾斜部（９）の反対方向であって、施工時に通孔部（４）周縁と当接する、通孔部（４）の方向ほど小径となるような傾斜を備えた第二傾斜部（１０）と、を設けたことを特徴とする筒部材と通孔部を有する部材の接続構造である。
【００１２】
請求項３に記載の筒部材と通孔部を有する部材の接続構造は、上記段落００１１に記載の筒部材と通孔部を有する部材の接続構造において、通孔部（４）を、槽体の底面に設け、筒部材（１）を、上下に開口した円筒状であって、且つ上端側面の外周方向に突出した、通孔部（４）よりも大径なフランジ部（２）を有し、且つ外側面に雄ねじ部（３）を設けた排水栓本体（１２）としたことを特徴とする段落００１２に記載の筒部材と通孔部を有する部材の接続構造である。
【００１３】
請求項４に記載の筒部材と通孔部を有する部材の接続構造は、上記筒部材と通孔部を有する部材の接続構造において、上下に開口した筒状体であって、槽体から溢れた排水を排水栓本体（１２）内に流入させるオーバーフローアダプター（１３）を、槽体下面と水密部材（７）の間に配置したことを特徴とする、上記段落００１０乃至段落００１２のいずれか１つに記載の筒部材と通孔部を有する部材の接続構造である。
【００１４】
請求項５に記載の筒部材と通孔部を有する部材の接続構造は、上記筒部材と通孔部を有する部材の接続構造において、第一傾斜部（９）及び第二傾斜部（１０）を、その中間地点を通過する水平面に対して対称となるように傾斜を設けると共に、上記水密部材（７）の内周面部であって、内周面円周に沿って、第一傾斜部（９）及び第二傾斜部（１０）の中間地点を通過する水平面上に頂点を有する凸部（１４）を設けたことを特徴とする、上記段落００１０乃至段落００１３のいずれか１つに記載の筒部材と通孔部を有する部材の接続構造である。
【００１５】
【発明の実施の形態】
以下に、本発明の第一実施例を、図面を参照しつつ説明する。図１乃至図３に示した本発明の第一実施例は、以下に記載した筒部材（１）としての洗面ボウル（１５）、排水栓本体（１２）、水密部材（７）、ナット部材（６）、その他の部材より構成されて成る。
洗面ボウル（１５）は、上部に開口を備えた箱状体であって箱体の上方側面にオーバーフロー口を設けると共に、内側底面に、該洗面ボウル（１５）に溜まった排水を排出する通孔部（４）を備えている。
排水栓本体（１２）は、上下に開口した円筒状の部材であって、上端側面の外方向に、洗面ボウル（１５）の通孔部（４）よりも大径なフランジ部（２）を突出させて設けると共に、外側面に雄ねじ部（３）を設け、上記洗面ボウル（１５）の通孔部（４）に取り付けられる。また上記排水栓本体（１２）は、該フランジ部（２）下方に、上記オーバーフロー口からの排水が流入する開口を設けてなる。
水密部材（７）は、リング状にして、外側から下向き方向に傾斜した、後述するナット部材の当接面部（８）と当接する第一傾斜部（９）を有し、更に外側から上向き方向に傾斜した、通孔部（４）周縁と当接する、通孔部（４）周縁の方向ほど小径となる第二傾斜部（１０）を設けた、ゴム等の弾性材から成る。
ナット部材（６）は、排水栓本体（１２）を洗面ボウル（１５）に取り付けるために用いられる部材であって、略円筒状にして内周面に排水栓本体（１２）の雄ねじ部（３）と螺合する雌ねじ部（５）を設け、且つ上端に、断面視外側方向ほど上向きに傾斜する当接面部（８）を設けて成る。
その他の部材として、水密部材（７）とナット部材（６）との間に、表面の摩擦係数が低い高分子材料から成る、薄膜のリング状とした滑りパッキン（１６）を用いて成る。
【００１６】
上記した筒部材（１）である排水栓本体（１２）は、以下のようにして、洗面ボウル（１５）に設けた通孔部（４）に取り付けされる。
まず、洗面ボウル（１５）の底面に設けた通孔部（４）に、上方から排水栓本体（１２）を挿通させ、該排水栓本体（１２）のフランジ部（２）下面を通孔部（４）周縁に当接させる。次に、水密部材（７）と滑りパッキン（１６）を、上方から水密部材（７）、滑りパッキン（１６）の順で、排水栓本体（１２）の下端から上方に向けて挿入させる。
更に、ナット部材（６）の雌ねじ部（５）を排水栓本体（１２）の雄ねじ部（３）と螺合させ、該ナット部材（６）の当接面部（８）によって、滑りパッキン（１７）を介し、水密部材（７）の底面を持ち上げつつ締め込みを行い、水密部材（７）を通孔部（４）の下面とナット部材（６）の間で強く押圧するようにすると、ねじの螺合による押圧の力の一部が、水密部材（７）の第一傾斜部（９）及び第二傾斜部（１０）によって、水密部材（７）の内周面の方向に向かう力に変換されて水密部材（７）が縮径し、排水栓本体（１２）を強く当接することとなる。結果として、通孔部（４）の下面とナット部材（６）、更に排水栓本体（１２）の外周面がそれぞれ強く押圧されて水密的に固定され、筒部材（１）である排水栓本体（１２）と、槽体に設けた通孔部（４）との接続が完了する。
この時の縮径の力は、第一傾斜部（９）及び第二傾斜部（１０）の双方の縮径の力を合したものであり、上記段落０００３及び段落０００４に記載した従来例の水密部材（７）の縮径の力の２倍程度となる。このため、この水密部材（７）を筒部材（１）である排水栓本体（１２）に取り付け易くするために、水密部材（７）の内径を排水栓本体（１２）の外側面より拡径した形状に成形し、水密部材（７）の内径と筒部材（１）の外径との間に多少の隙間ができても、排水栓本体（１２）と水密部材（７）との密着が強力に行われ、両者の間から水漏れが生じることがない。
【００１７】
次に、本発明の第二実施例を図面を参照として説明する。図４乃至図５に示した本発明の第二実施例の管部材（１１）とパイプ管（１７）との接続構造は、以下に記載したパイプ管（１７）、管部材（１１）、水密部材（７）、ナット部材（６）、及びその他の部材より構成されて成る。
パイプ管（１７）は円筒形状をした部材であって、以下に記載する管部材（１１）の内部に収納される。
管部材（１１）は、外周側面に雄ねじ部（３）を設け、且つその内部に上記パイプ管（１７）の円筒形状部を収納する通孔部（４）を設けた円筒形状の部材であり、通常はＵ字に屈曲した排水トラップの端部の接続箇所などに採用される。
水密部材（７）は、リング状にして、外側から下向き方向に傾斜した、後述するナット部材（６）の当接面部（８）と当接する第一傾斜部（９）を有し、更に外側から上向き方向に傾斜した、通孔部（４）周縁と当接する、通孔部（４）の方向ほど小径となる第二傾斜部（１０）を設けた、ゴム等の弾性材から成る。
ナット部材（６）は、パイプ管（１７）を管部材（１１）に取り付けるために用いられる部材であって、略円筒状にして内周面に排水栓本体（１２）の雄ねじ部（３）と螺合する雌ねじ部（５）を設け、且つ上端に、断面視外側方向ほど上向きに傾斜する当接面部（８）を設けて成る。
その他の部材として、水密部材（７）とナット部材（６）との間に、表面の摩擦係数が低い高分子材料から成る、薄膜のリング状とした滑りパッキン（１６）を用いて成る。
【００１８】
上記した、筒部材（１）であるパイプ管（１７）と、管部材（１１）の通孔部（４）とは、以下のようにして取り付けされる。
パイプ管（１７）の外周面に、管部材（１１）の通孔部（４）に収納される側の端部から順に、水密部材（７）、滑りパッキン（１６）、ナット部材（６）の順に各部材を配置する。
次にパイプ管（１７）の端部を管部材（１１）に収納した後、ナット部材（６）の当接面部（８）によって水密部材（７）の底面を、滑りパッキン（１６）を介し、水密部材（７）の底面を持ち上げつつ締め込みを行い、水密部材（７）を通孔部（４）周縁とナット部材（６）の間で強く押圧するようにすると、ねじの螺合による押圧の力の一部が、水密部材（７）の第一傾斜部（９）及び第二傾斜部（１０）によって、水密部材（７）の内周面の方向に向かう力に変換されて水密部材（７）が縮径し、パイプ管（１７）に強く当接することとなる。結果として、通孔部（４）の周縁とナット部材（６）、更にパイプ管（１７）の外周面がそれぞれ強く押圧されて水密的に固定され、筒部材（１）であるパイプ管（１７）と、孔を有する部材である管部材（１１）の通孔部（４）との接続が完了する。この時の縮径の力は、第一傾斜部（９）及び第二傾斜部（１０）の双方の縮径の力を合したものであり、上記段落０００６及び段落０００７に記載した従来例の水密部材（７）の縮径の力の２倍程度となる。このため、この水密部材（７）を筒部材（１）であるパイプ管（１７）に取り付け易くするために、水密部材（７）の内径をパイプ管（１７）の外周面より拡径した形状に成形し、水密部材（７）の内径とパイプ管（１７）の外周面との間に多少の隙間ができても、パイプ管（１７）と水密部材（７）との密着が強力に行われ、両者の間から水漏れが生じることがない。
【００１９】
本発明の実施例は、上記のようであるが、本発明は上記実施例に限定されるものではなく、発明の要旨を変更しない範囲で自由に変更が可能である。
例えば、上記第二実施例においては、通孔部（４）内に筒部材（１）を収納させるような配管構造を、筒部材（１）であるパイプ管（１７）と、筒部材（１）の通孔部（４）とで行っているが、図６乃至図８に示したように、筒部材（１）を排水栓本体（１２）とし、通孔部（４）を槽体に設けて、排水栓本体（１２）と槽体の接続構造に採用しても構わない。
【００２０】
また、上記した第一実施例、第二実施例に用いた水密部材（７）に代えて、水密部材（７）の形状を、図９に示した水密部材（７）のように、第一傾斜部（９）及び第二傾斜部（１０）を、その中間地点を通過する水平面に対して対称となるように傾斜を設けると共に、上記水密部材（７）の内周面部であって、内周面円周に沿って、第一傾斜部（９）及び第二傾斜部（１０）の中間地点を通過する水平面上に頂点を有する凸部（１４）を設けて構成しても良い。
上記のような水密部材（７）を使用した場合、挿通の困難さは、上記第一、第二実施例と比べれば凸部（１４）の部分が筒部材（１）の外周面に触れて多少挿通し難くなっているものの、従来例のように内周面の全てが触れているわけではないので、従来例ほど困難ではない。
また筒部材（１）を通孔部（４）に固定する際、第一傾斜部（９）及び第二傾斜部（１０）を、その中間地点を通過する水平面に対して対称となるように傾斜を設けているため、傾斜部によって生じた縮径の力は、第一傾斜部（９）及び第二傾斜部（１０）の中間地点を通過する水平面に集中し、その位置に沿って設けられた凸部（１４）により強く作用する。この凸部（１４）の部分は内周面の他の部分よりも小径となっているため、筒部材（１）の外周面に優先的に当接し、結果縮径の力が分散することなく、上記凸部（１４）上に集中するため、押圧の力による圧力が相当高いものとなり、上記各実施例と比べても、より水密性の高い筒部材と通孔部を有する部材の接続構造を提供することができる。
【００２１】
また本発明の筒部材（１）と孔を有する部材の接続構造を、排水栓本体（１２）と、槽体に設けた通孔部（４）に採用した場合、図１０に示したように、水密部材（７）と通孔部（４）の間にオーバーフローアダプター（１３）を配置した構成としても良い。
このオーバーフローアダプター（１３）の構成や接続方法は、段落０００５に記載した従来のオーバーフローアダプターと同一のものを利用できる。
【００２２】
【発明の効果】
本発明は、上記のように構成したため、以下のような優れた効果を奏する。
請求項１に記載の筒部材と通孔部を有する部材の接続構造は、水密部材の外側方向から上下方向に、傾斜部分を設け、また該水密部材を締め込むナット部材においても、水密部材と当接する当接面部の傾斜によって、排水栓のような筒部材に、締め込む力が分散することなく集中する。よって、筒部材の外周側面に水密部材の密着性を高めることができる。
請求項２に記載の筒部材と通孔部を有する部材の接続構造は、筒部材の中に収納する管部材を、水密部材とナット部材によって締め付ける。この水密部材においても、上記請求項１同様に、水密部材の外側方向から上下方向に、傾斜部分を設け、また該水密部材を締め込むナット部材においても、水密部材と当接する当接面部の傾斜によって、排水栓のような筒部材に、締め込む力が分散することなく集中する。よって、筒部材の外周側面に水密部材の密着性を高めることができる。
請求項３に記載の筒部材と通孔部を有する部材の接続構造は、請求項２に記載の筒部材と通孔部を有する部材の接続構造を、槽体と排水栓本体の接続構造に応用することができる。
請求項４に記載の筒部材と通孔部を有する部材の接続構造は、オーバーフローアダプターを、槽体下面と水密部材の間に配置したことにより、オーバーフローアダプターを介しても排水栓本体に密着させる力の伝達が可能である。
請求項５に記載の筒部材と通孔部を有する部材の接続構造は、水密部材の内周面円周に、中間地点を頂点として凸部を設けることで、該凸部のみが筒部材に当接するので、水密部材の取付が非常に簡易なものとなる。更に、ナット部材によって、筒部材に締め付けを行うことで、当接面部の力の向きが、筒部材の方に向かう。よって、水密部材と筒部材の密着を、より強固なものにし、止水性能を向上させることができる。
【図面の簡単な説明】
【図１】本発明の第一実施例における取付断面図である。
【図２】本発明の第一実施例における拡大断面図である。
【図３】本発明の第一実施例における部品構成断面図である。
【図４】本発明の第二実施例における拡大断面図である。
【図５】本発明の第二実施例における部品構成断面図である。
【図６】本発明の第二実施例における取付断面図である。
【図７】本発明の第二実施例における拡大断面図である。
【図８】本発明の第二実施例における部品構成断面図である。
【図９】本発明の水密部材に、凸部を設けた場合の部品構成断面図である。
【図１０】本発明に、オーバーフローアダプターを用いた断面図である。
【図１１】従来例における接続構造の拡大断面図である。
【図１２】従来例における接続構造の部品構成断面図である。
【図１３】従来例における接続構造に、オーバーフローアダプターを用いた断面図である。
【図１４】従来例の筒部材同士の接続構造における拡大断面図である。
【図１５】従来例の筒部材同士の接続構造における部品構成断面図である。
【符号の説明】
１　　　筒部材　　　　　　　　　　　　　２　　　フランジ部
３　　　雄ねじ部　　　　　　　　　　　　４　　　通孔部
５　　　雌ねじ部　　　　　　　　　　　　６　　　ナット部材
７　　　水密部材　　　　　　　　　　　　８　　　当接面部
９　　　第一傾斜部　　　　　　　　　　　１０　　第二傾斜部
１１　　管部材　　　　　　　　　　　　　１２　　排水栓本体
１３　　オーバーフローアダプター　　　　１４　　凸部
１５　　洗面ボウル　　　　　　　　　　　１６　　滑りパッキン
１７　　パイプ管
【図１】
2004092239.tif 000003
【図２】
2004092239.tif 000004
【図３】
2004092239.tif 000005
【図４】
2004092239.tif 000006
【図５】
2004092239.tif 000007
【図６】
2004092239.tif 000008
【図７】
2004092239.tif 000009
【図８】
2004092239.tif 000010
【図９】
2004092239.tif 000011
【図１０】
2004092239.tif 000012
【図１１】
2004092239.tif 000013
【図１２】
2004092239.tif 000014
【図１３】
2004092239.tif 000015
【図１４】
2004092239.tif 000016
【図１５】
2004092239.tif 000017